(57)【要約】【課題】毛布の変位による保温不可能の問題を解決する毛布キルティング敷パットセットを提供する。【解決手段】毛布キルティング敷パットセットは、着脱可能にマットレスの上方に敷設させる下部敷パット層１と、左右の両側から下部敷パット層１と縫着されて睡眠空間１００を形成する上部ギャップ層２とを備える。睡眠空間１００の両側はともに開口構造を有してそれぞれ頭部開口１０１及びフット開口１０２になる。下部敷パット層１の頭部開口１０１の位置から外部へ延出して枕掛け領域２００を形成する。上部ギャップ層２の頭部開口１０１の位置にＵ形開口が設置され、上部ギャップ層２のフット開口１０２の位置に内折り畳み部が設置される。下部敷パット層１はキルティング方式を採用しメモリーフォーム下側介在層が設けられ、下部敷パット層１の底部にエラストマーが設けられている。この毛布は変位せず常に睡眠の保温を保持でき、家庭の使用により適する。【選択図】図１
0003215811.tif 000002
【実用新案登録請求の範囲】
【請求項１】
着脱可能にマットレスの上方に敷設させる下部敷パット層（１）と、
左右の両側から前記下部敷パット層（１）と縫着されて睡眠空間（１００）を形成する上部ギャップ層（２）と、を備え、
前記睡眠空間（１００）の両側はともに開口構造を有してそれぞれ頭部開口（１０１）及びフット開口（１０２）になることを特徴とする毛布キルティング敷パットセット。
【請求項２】
前記下部敷パット層（１）の前記頭部開口（１０１）の位置から外部へ延出して枕を放置するための枕掛け領域（２００）が形成されることを特徴とする請求項１に記載の毛布キルティング敷パットセット。
【請求項３】
前記上部ギャップ層（２）の前記頭部開口（１０１）の位置に人の頭部が放置されるためのＵ字形の開口（１１）が設置されることを特徴とする請求項１に記載の毛布キルティング敷パットセット。
【請求項４】
前記上部ギャップ層（２）の前記フット開口（１０２）の位置に内折り畳み部（３００）が設置されることを特徴とする請求項１に記載の毛布キルティング敷パットセット。
【請求項５】
前記上部ギャップ層（２）は、表面から裏面へ順次に設置される上側カバー（２１）と上側裏布団（２２）とを含み、
前記下部敷パット層（１）は、表面から裏面へ順次に下側カバー（１２）と、下側介在層（１３）と下側裏布団（１４）とを含み、
前記上側カバー（２１）と前記上側裏布団（２２）とが縫着され、
前記下側カバー（１２）と、前記下側介在層（１３）と前記下側裏布団（１４）とがキルティング方式によって縫製されていることを特徴とする請求項１から請求項４のいずれか１項に記載の毛布キルティング敷パットセット。
【請求項６】
前記上側カバー（２１）及び前記下側カバー（１２）はともに布で製成され、
前記上側裏布団（２２）及び前記下側裏布団（１４）はともにパイル生地で製成され、
前記下側介在層（１３）はメモリーフォームで製成されていることを特徴とする請求項５に記載の毛布キルティング敷パットセット。
【請求項７】
前記下部敷パット層（１）の底部に少なくとも１本のエラストマー（１５）が設置されていることを特徴とする請求項１に記載の毛布キルティング敷パットセット。
【請求項８】
前記エラストマー（１５）の数は５本であり、その内４本の前記エラストマー（１５）がそれぞれ４５度の角度になって前記下部敷パット層（１）の四隅に設置され、１本の前記エラストマー（１５）が前記下部敷パット層（１）の幅方向に沿って穿設されていることを特徴とする請求項７に記載の毛布キルティング敷パットセット。
【請求項９】
前記枕掛け領域（２００）と三面で縫着されて枕を詰め込む枕カバー空間（４００）を形成する枕カバー層（３）をさらに備えることを特徴とする請求項２に記載の毛布キルティング敷パットセット。
【請求項１０】
前記頭部開口（１０１）はスナップ、スライドファスナーまたは面ファスナーによってシールされていることを特徴とする請求項１に記載の毛布キルティング敷パットセット。
【考案の詳細な説明】
【技術分野】
【０００１】
本考案は日常生活用品の技術分野に関し、特に毛布キルティング敷パットセットに関する。
【背景技術】
【０００２】
毛布は良く使われる寝具であり、布団より薄く、保温機能を有する。その原料として動物繊維(羊毛、モヘア、兎毛、カシミヤ、キャメル、ヤク綿など)やアクリル繊維、ビスコース繊維等の化学繊維を使用することが多く、動物繊維と化繊による混紡生地で製成される場合もある。
【考案の概要】
【考案が解決しようとする課題】
【０００３】
本考案者らは、従来の技術に少なくとも以下の技術的問題があることを見出した。
従来の毛布は平板状であるので、人が睡眠時にローリングやキックなどによって毛布から離脱することが多く、保温不可能の上風邪を引き易い問題がある。従来の屋外装置として寝袋製品が良く知られる。人々は寝袋へ潜り込んで休憩睡眠するし、寝袋が閉塞筒形構造であるので、ローリングやキックなどによる人のある部位の露出という問題がなく、十分に保温・被覆できる。しかし、従来の寝袋は家用に適せず、体積が小さく、機能が単一で、底部の下敷き層が柔軟かつ薄く人が横たわったら睡眠が悪く睡眠中の皺による快適度が低いのが一般的である。
【０００４】
本考案の目的は、従来技術の毛布の変位による保温不可能という技術問題を解決できる毛布キルティング敷パットセットを提供することにある。
【課題を解決するための手段】
【０００５】
上記の目的を達成するために、本考案は以下のような技術手段を提供する。
本考案の毛布キルティング敷パットセットは、着脱可能にマットレスの上方に敷設させる下部敷パット層と、左右の両側から下部敷パット層と縫着されて睡眠空間を形成する上部ギャップ層と、を備え、睡眠空間の両側はともに開口構造を有してそれぞれ頭部開口及びフット開口になる。
【０００６】
上部ギャップ層と下部敷パット層とを縫着させ睡眠空間を形成し、人が睡眠空間内に潜り込んで休憩睡眠することができ、人の動きやキックによる上部ギャップ層の離脱という問題を解決する。
【０００７】
本考案の改良として、下部敷パット層はポリエステル・スパンデックス繊維からなる弾性ある空気層生地で製成される。ポリエステル・スパンデックス繊維で製成される空気層生地を採用することによって下部敷パット層が弾性を有し、使用時に必要に応じて下部敷パット層を拡大または縮小できる。
【０００８】
本考案の改良として、下部敷パット層の頭部開口の位置から外部へ延出して枕を放置するための枕掛け領域が形成される。
【０００９】
本考案の改良として、上部ギャップ層の頭部開口の位置に人の頭部が放置されるためのＵ字形の開口が設置される。Ｕ字形の開口の設置によって人の頭部が放置でき、Ｕ字形の開口の両側の上部ギャップ層によって肩を完全に覆い、肩からの漏風を防止する。
【００１０】
本考案の改良として、上部ギャップ層のフット開口の位置に内折り畳み部が設置される。寒い時に脚部をフット開口から伸出する必要がない場合に、内折り畳み部を踏んで、内折り畳み部と上部ギャップ層との間に脚部放置用空間が形成され、保温でき、熱い時に脚部を伸出する必要がある場合に、内折り畳み部を脚部の上方に放置させ、脚部をフット開口から伸出し換気・放熱し、使用が柔軟で容易である。
【００１１】
本考案の改良として、上部ギャップ層は、表面から裏面へ順次に設置される上側カバーと上側裏布団とを含み、下部敷パット層は、表面から裏面へ順次に下側カバーと、下側介在層と下側裏布団とを含む。上側カバーと上側裏布団とが縫着され、下側カバーと、下側介在層と下側裏布団とがキルティング方式によって縫製されている。
ふとんを例とすると、ふとんは通常ウール片葉やルースファイバのパット材と外表の織物との２つの部分でからなる。ルースファイバ状のふとんはパットコア構造及び形状が安定せず、変位・収縮し易く、厚さが不均一になる。ふとん外層の織物とインナコアの間を密着固定させ、ふとんの厚さが均一になるために、外層の織物とインナコアを併設または加飾パターンで縫着（ステッチボンド）され、美感及び実用性を向上させるプロセスはキルティングと言われ、このように縫着されたふとんやマットレスはキルティングふとん、キルティング敷パット層と言われている。下側カバーと、下側介在層と下側裏布団がキルティング方式によって縫製され下部敷パット層が一定の硬度を有し、睡眠中に下部敷パット層の皺による睡眠快適度や見栄えに与えられる悪影響を防止できる。下部敷パット層はキルティング敷パット層に相当する。
【００１２】
本考案の改良として、上側カバー及び下側カバーはともに布で製成され、上側裏布団及び下側裏布団はともにパイル生地で製成され、下側介在層はメモリーフォームで製成されている。下部敷パット層内にメモリーフォームからなる下側介在層を設けて人の体重を支持し、人の睡眠がより快適になり、メモリーフォームによる支持力によって、人の輪郭に応じて均一に力を受け、人の不快感がなくなる。本製品はキルティング敷パット層の利点と毛布の利点を合わせて組合セットになり、家庭の使用により適する。
【００１３】
本考案の改良として、下部敷パット層の底部に少なくとも１本のエラストマーが設置されている。エラストマー（ゴムテープとも言う）は数が異なるゴムコア、編糸で編成される弾性が異なる織物である。エラストマーによって毛布キルティング敷パットセットをマットレス上に固定させ、使用中の変位を防止する。
【００１４】
本考案の改良として、エラストマーの数は５本であり、その内４本のエラストマーがそれぞれ４５度の角度になって下部敷パット層の四隅に設置され、１本のエラストマーが下部敷パット層の幅方向に沿って穿設されている。
【００１５】
４本の斜向エラストマーを設置することによって、幅方向を貫通する１本のエラストマーにより固定堅牢度及び安定性を向上させ、毛布キルティング敷パットセットの中部の撓みや変位が防止される。
【００１６】
本考案の改良として、枕カバー層を更に備え、枕カバー層が枕掛け領域と三面で縫着されて枕を詰め込む枕カバー空間が形成される。
【００１７】
本考案の改良として、頭部開口はスナップ、スライドファスナーまたは面ファスナーによってシールされている。
【００１８】
本考案が提供する毛布キルティング敷パットセットにおいて、使用する場合に、枕カバー層と枕掛け領域によって枕を放置する１つの空間が形成されることによって、枕の変位を防止する機能を有する。それとともに、上部ギャップ層及び下部敷パット層によって睡眠用の１つの睡眠空間が形成されることによって、人の動きを規制する機能を有し、メモリーフォーム付き下部敷パット層によって人の体重を支持し、人の睡眠がより快適になる。キルティング方式で下部敷パット層を縫製することによって、キルティング敷パット層の利点と毛布の利点を合わせて組合セットになり、家庭の使用により適する。また、メモリーフォームの支持力によって、人の輪郭に応じて均一に力を受け、人の不快感が無くなる。睡眠中に毛布が人体に接するし、Ｕ字形の開口によって肩からの漏風を防止でき、さらなる保温を実現する。スナップ、面ファスナー等を設置することによって、簡単且つ便利に毛布の頭部開口をシールでき、寝袋への入り出しがより容易になり、さらなる保温を実現する。
【００１９】
以下、本考案の実施例や従来技術中の技術手段をより明らかに説明するために、まず実施例や従来技術の説明に必要する図面を簡単に説明する。以下説明する図面は本考案の幾つかの実施例を説明するためのもので、当業者ならば、創造的な創作活動を付与することなく、これらの図面に基づいて他の図面を得られることは言うまでもない。
【図面の簡単な説明】
【００２０】
【図１】本考案の毛布キルティング敷パットセットの構造を示す模式図である。
【図２】本考案の毛布キルティング敷パットセットの使用時の頭部開口の方向の一部模式図である。
【図３】本考案の毛布キルティング敷パットセットの使用時の脚部が伸出しない場合の脚部開口の位置を示す断面模式図である。
【図４】本考案の毛布キルティング敷パットセットの使用時の脚部が伸出する場合の脚部開口の位置を示す断面模式図である。
【図５】本考案の毛布キルティング敷パットセットにおける上部ギャップ層を示す断面模式図である。
【図６】本考案の毛布キルティング敷パットセットにおける下部敷パット層を示す断面模式図である。
【図７】本考案の毛布キルティング敷パットセットを示す底面図である。
【図８】本考案の毛布キルティング敷パットセットにおける下部敷パット層の一部が９０度折り曲げ場合の構造模式図である。
【考案を実施するための形態】
【００２１】
以下、本考案の目的、技術手段及び利点をより明らかにするために、本考案の技術手段を詳細に説明する。説明する実施例は全部の実施例ではなく本考案の一部の実施例であることは言うまでもない。本考案中の実施例に基づいて、当業者の創造的な創作活動を付与せずに得られる全ての他の実施の形態は、本考案の技術的範囲に含まれる。
【００２２】
図１に示すように、本考案は、着脱可能にマットレスの上方に敷設させる下部敷パット層１と、左右の両側から下部敷パット層１と縫着されて睡眠空間１００を形成する上部ギャップ層２とを備え、睡眠空間１００の両側はともに開口構造を有してそれぞれ頭部開口１０１及びフット開口１０２になる毛布キルティング敷パットセットを提供する。上部ギャップ層２と下部敷パット層１とを縫着させ睡眠空間１００を形成し、人が睡眠空間１００内に潜り込んで休憩睡眠することができ、人の動きやキックによる上部ギャップ層２の離脱という問題を解決する。
【００２３】
下部敷パット層１はポリエステル・スパンデックス繊維からなる弾性ある空気層生地で製成される。ポリエステル・スパンデックス繊維で製成される空気層生地を採用することによって下部敷パット層１が弾性を有し、使用時に必要に応じて下部敷パット層１を拡大または縮小する。毛布キルティング敷パットセットの完成品を使用する場合に２０ｃｍ分延伸することができる。
【００２４】
図２に示すように、容易に枕を放置するために、枕によって毛布を押し上げて、本出願の下部敷パット層１の頭部開口１０１の位置から外部へ延出して枕を放置するための枕掛け領域２００が形成され、すなわち上部ギャップ層２の長さより下部敷パット層１の上部の長さが長い。
【００２５】
肩からの漏風を防止するために、上部ギャップ層２の頭部開口１０１の位置に人の頭が放置するＵ字形の開口１１が設置される。Ｕ字形の開口１１は上部ギャップ層２の長手方向に沿って設置され、Ｕ字形の開口１１の長さは人の頭の長さに相当し、Ｕ字形の開口１１の幅は人の頭の幅に相当し、Ｕ字形の開口１１の設置によって人の頭が放置でき、Ｕ字形の開口１１の両側の上部ギャップ層２によって肩を完全に覆い、肩からの漏風を防止することができる。
【００２６】
図３及び図４に示すように、製品の柔軟性を向上させるために、上部ギャップ層２のフット開口１０２の位置に内折り畳み部３００が設置される。寒い時に脚部をフット開口１０２から伸出する必要がない場合に、内折り畳み部３００を踏んで、内折り畳み部３００と上部ギャップ層２との間に脚部放置用空間が形成され、保温できる。また、熱い時に脚部を伸出する必要ある場合に、内折り畳み部３００を脚部の上方に放置させ、脚部をフット開口１０２から伸出し換気・放熱し、使用が柔軟で容易である。
【００２７】
図５及び図６に示すように、毛布の保温効果及び毛布の下部下敷き層の硬度を向上させるために、上部ギャップ層２は表面から裏面へ順次に設置される上側カバー２１と上側裏布団２２とを含み、下部敷パット層１は表面から裏面へ順次に設置される下側カバー１２と、下側介在層１３と下側裏布団１４とを含む。上側カバー２１と上側裏布団２２が縫着され、下側カバー１２と、下側介在層１３と下側裏布団１４とがキルティング方式によって縫製されている。
ふとんを例とすると、ふとんは通常ウール片葉やルースファイバのパット材と外表の織物との２つの部分でからなる。ルースファイバ状のふとんはパットコア構造及び形状が安定せず、変位・収縮し易く、厚さが不均一になる。ふとん外層の織物とインナコアの間を密着固定させ、ふとんの厚さが均一になるために、外層の織物とインナコアを併設または加飾パターンで縫着（ステッチボンド）され、美感及び実用性を向上させるプロセスはキルティングと言われ、このように縫着されたふとんやマットレスはキルティングふとん、キルティング敷パット層と言われている。下側カバー１２と、下側介在層１３と下側裏布団１４がキルティング方式によって縫製され下部敷パット層１が一定の硬度を有し、睡眠中に下部敷パット層１の皺による睡眠快適度や見栄えに与えられる悪影響を防止できる。下部敷パット層１はキルティング敷パット層に相当する。
【００２８】
なお、ある実施の形態において、上側カバー２１と下側カバー１２はともに布で製成され、上側裏布団２２と下側裏布団１４はともにパイル生地で製成され、下側介在層１３はメモリーフォームで製成されている。下部敷パット層１内にメモリーフォームからなる下側介在層１３を設けて人の体重を支持し、人の睡眠がより快適になり、メモリーフォームによる支持力によって、人の輪郭に応じて均一に力を受け、人の不快感がなくなり、本製品はキルティング敷パット層の利点と毛布の利点を合わせて組合セットになり、家庭の使用により適する。人がパイル生地に接すると、快適感や温感が与えられる。
【００２９】
図７及び図８に示すように、下部敷パット層１の底部に少なくとも１本のエラストマー１５が設置されている。エラストマー１５（ゴムテープとも言う）は数が異なるゴムコア、編糸で編成される弾性が異なる織物である。エラストマー１５によって毛布キルティング敷パットセットをマットレス上に固定させ、使用中の変位を防止する。
【００３０】
好ましくは、エラストマー１５の数は５本であり、その内４本のエラストマー１５がそれぞれ４５度の角度になって下部敷パット層１の四隅に設置され、１本のエラストマー１５が下部敷パット層１の幅方向に沿って穿設されている。４本の斜向エラストマー１５を設置することによって、幅方向を貫通する１本のエラストマー１５により、固定堅牢度及び安定性を向上させ、毛布キルティング敷パットセットの中部の撓みや変位を防止する。
【００３１】
図１に示すように、枕カバー層３を更に備え、枕カバー層３が枕掛け領域２００と三面で縫着されて枕を詰め込む枕カバー空間４００が形成される。枕カバー層３の幅は下部敷パット層１の幅より小さく、頭部開口１０１はスナップ、スライドファスナーまたは面ファスナーによってシールされている。
本考案が提供する毛布キルティング敷パットセットにおいて、使用する場合に、枕カバー層３と枕掛け領域２００によって枕を放置する１つの空間が形成されることによって、枕を放置でき、枕の変位を防止する機能を有する。それとともに、上部ギャップ層２及び下部敷パット層１によって睡眠用の１つの睡眠空間１００が形成されることによって、睡眠でき、人の動きを規制する機能を有し、メモリーフォーム付き下部敷パット層１によって人の体重を支持し、人の睡眠がより快適になる。キルティング方式で下部敷パット層１を縫製することによってキルティング敷パット層の利点と毛布の利点を合わせて組合セットになり、家庭の使用により適する。また、メモリーフォームの支持力によって、人の輪郭に応じて均一に力を受け、人の不快感が無くなる。睡眠中に毛布が人体に接するし、Ｕ字形の開口１１によって肩からの漏風を防止でき、さらなる保温を実現する。スナップ、面ファスナー等を設置することによって、簡単且つ便利に毛布の頭部開口をシールでき、寝袋への入り出しがより容易になり、さらなる保温を実現する。
【００３２】
以上の説明は、本考案の具体的な実施例のみであるが、本考案の保護範囲はこれに限定されるものでなく、当業者であれば本考案の開示した技術的範囲内において、容易に思い出した変更又は置換は、いずれも本考案の保護範囲内に含まれる。従って、本考案の保護範囲は実用新案登録出願請求の範囲の保護範囲によって定義される。
【符号の説明】
【００３３】
１      下部敷パット層
１１    Ｕ字形の開口
１２    下側カバー
１３    下側介在層
１４    下側裏布団
１５    エラストマー
２      上部ギャップ層
２１    上側カバー
２２    上側裏布団
３      枕カバー層
１００  睡眠空間
１０１  頭部開口
１０２  フット開口
２００  枕掛け領域
３００  内折り畳み部
４００  枕カバー空間
【図１】
0003215811.tif 000003
【図２】
0003215811.tif 000004
【図３】
0003215811.tif 000005
【図４】
0003215811.tif 000006
【図５】
0003215811.tif 000007
【図６】
0003215811.tif 000008
【図７】
0003215811.tif 000009
【図８】
0003215811.tif 000010